(57)【要約】【課題】トロリ線の機械による取付も可能にするなど、トロリ線をイヤーに簡単に装着することができるハンガイヤーを提供すること。【解決手段】トロリ線４を挟持するイヤー３の開閉可能なイヤー片３ａ、３ｂを貫通するように頭付き軸部５を設け、この軸部５の頭部５１とイヤー片３ｂとの間に皿ばね６を介装するとともに、軸部５の先端側にキー部材７を回転可能に係着し、このキー部材７の回転によりイヤー片３ａ、３ｂを閉じ方向に押圧する凸部８を、イヤー片３ａのキー部材７との摺接部に形成する。【選択図】図１
2004322736.tif 000002
【特許請求の範囲】
【請求項１】
吊架線に吊下するハンガの下部に、開閉可能なイヤー片によりトロリ線を挟持するイヤーを設けたハンガイヤーにおいて、イヤー片を貫通するように頭付き軸部を設け、該軸部の頭部とイヤー片との間に圧縮ばねを介装するとともに、軸部の先端側にキー部材を回転可能に係着し、該キー部材の回転によりイヤー片を閉じ方向に押圧する凸部を、キー部材とイヤー片の摺接部に形成したことを特徴とするハンガイヤー。
【請求項２】
イヤー片を開き方向に付勢する開放用ばねを装着したことを特徴とする請求項１記載のハンガイヤー。
【発明の詳細な説明】
【０００１】
【発明の属する技術分野】
本発明は、ハンガイヤーに関し、トロリ線の機械による取付も可能にするなど、トロリ線をイヤーに簡単に装着することができるハンガイヤーに関するものである。
【０００２】
【従来の技術】
電鉄架線は一般に吊架線の長手方向に予め定めた間隔でハンガイヤーを配設し、常に水平となるように、吊架線からトロリ線を吊架している。
従来汎用されるハンガイヤーは、吊架線に吊下するハンガの下部に、トロリ線を挟持するイヤーを備えている。
イヤーは、トロリ線を挟持する１対のイヤー片と、該イヤー片を貫通し、イヤー片を閉じ方向に締着するボルトとにより構成されている。
【０００３】
【発明が解決しようとする課題】
ところで、上記従来のハンガイヤーは、イヤー片をボルトにより締着する構造であることから、トロリ線に装着する際に、高所においてレンチを操作してボルトを締着する必要があり、このため、手間や時間を要するという問題があった。
【０００４】
本発明は、上記従来のハンガイヤーが有する問題点に鑑み、トロリ線の機械による取付も可能にするなど、トロリ線をイヤーに簡単に装着することができるハンガイヤ−を提供することを目的とする。
【０００５】
【課題を解決するための手段】
上記目的を達成するため、本発明のハンガイヤーは、吊架線に吊下するハンガの下部に、開閉可能なイヤー片によりトロリ線を挟持するイヤーを設けたハンガイヤーにおいて、イヤー片を貫通するように頭付き軸部を設け、該軸部の頭部とイヤー片との間に圧縮ばねを介装するとともに、軸部の先端側にキー部材を回転可能に係着し、該キー部材の回転によりイヤー片を閉じ方向に押圧する凸部を、キー部材とイヤー片の摺接部に形成したことを特徴とする。
【０００６】
このハンガイヤーは、イヤー片を貫通するように頭付き軸部を設け、該軸部の頭部とイヤー片との間に圧縮ばねを介装するとともに、軸部の先端側にキー部材を回転可能に係着し、該キー部材の回転によりイヤー片を閉じ方向に押圧する凸部を、キー部材とイヤー片の摺接部に形成することから、キー部材を回転させるだけでイヤー片の開閉を行うことができ、これにより、トロリ線の機械による取付を可能にするなど、トロリ線をイヤーに簡単に装着することができる。
【０００７】
この場合において、イヤー片を開き方向に付勢する開放用ばねを装着することができる。
【０００８】
これにより、キー部材による締め付けを解けばイヤー片が自然に拡開することになり、トロリ線の脱着を容易にすることができる。
【０００９】
【発明の実施の形態】
以下、本発明のハンガイヤーの実施の形態を図面に基づいて説明する。
【００１０】
図１〜図２に、本発明のハンガイヤーの１実施例を示す。
このハンガイヤ−は、吊架線１に吊下するハンガ２の下部に、開閉可能なイヤー片３ａ、３ｂによりトロリ線４を挟持するイヤー３を設けたもので、イヤー片３ａ、３ｂを貫通するように頭付き軸部５を設け、該軸部５の頭部５１とイヤー片３ｂとの間に圧縮ばねとして複数枚の皿ばね６を介装するとともに、軸部５の先端側にキー部材７を回転可能に係着し、該キー部材７の回転によりイヤー片３ａ、３ｂを閉じ方向に押圧する凸部８を、イヤー片３ａのキー部材７との摺接部に形成している。
【００１１】
ハンガ２は金属の線材からなり、吊架線１に容易に架けられるように一部が開放された環状に形成され、ハンガカバー２１を介して吊架線１に架けられる。
【００１２】
イヤー３は、ハンガ２の下部に一体に固定されたイヤー片３ａと、該イヤー片３ａと対向するように配設され、上部がピン９により枢支されたイヤー片３ｂとを備えている。
ピン９の両端部には、捻りコイルばねからなる開放用ばね１０が装着されており、該開放用ばね１０の先端部を各イヤー片３ａ、３ｂに係合させることにより、イヤー片３ａ、３ｂを開き方向に付勢している
なお、この開放用ばね１０は、図２（ａ）に示すように、クロス掛けすることも可能である。
【００１３】
軸部５は、頭部５１とイヤー片３ｂとの間に複数枚の皿ばね６を介装するとともに、軸部５の先端側に、固定部材１１により抜け止めをなして、キー部材７を回転可能に配設している。
キー部材７は、軸部５と直交方向に形成された短杆状のものからなり、イヤー片３ａとの摺接部には、回転方向に傾斜するテーパ面７１が形成されている。
また、イヤー片３ａのキー部材７との摺接部には、キー部材７の回転によりイヤー片３ａ、３ｂを閉じ方向に押圧する凸部８と、キー部材７の回転によりイヤー片３ａ、３ｂを開放状態にする凹部１２とが形成されている。
そして、凸部８には、キー部材７の回転方向に傾斜するテーパ面８１が形成されるとともに、その頂部には、乗り上げたキー部材７が係合する溝部８２が形成されている。
【００１４】
かくして、本実施例のハンガイヤーは、イヤー片３ａ、３ｂを貫通するように頭付き軸部５を設け、該軸部５の頭部５１とイヤー片３ｂとの間に圧縮ばね６を介装するとともに、軸部５の先端側にキー部材７を回転可能に係着し、該キー部材７の回転によりイヤー片３ａ、３ｂを閉じ方向に押圧する凸部８を、キー部材７とイヤー片３ａの摺接部に形成することから、キー部材７を横から縦に９０度回転させるだけでイヤー片３ａ、３ｂの開閉を行うことができ、これにより、トロリ線４の機械による取付を可能にするなど、トロリ線４をイヤー３に簡単に装着することができる。
また、イヤー片３ａ、３ｂを開き方向に付勢する開放用ばね１０を装着することにより、キー部材７による締め付けを解けばイヤー片３ａ、３ｂが自然に拡開することになり、トロリ線４の脱着を容易にすることができる。
【００１５】
以上、本発明の実施例を説明したが、本発明のハンガイヤーの構成は、この実施例の記載に限定されるものではなく、その趣旨を逸脱しない範囲において適宜に変更することが可能である。
【００１６】
【発明の効果】
本発明のハンガイヤーによれば、イヤー片を貫通するように頭付き軸部を設け、該軸部の頭部とイヤー片との間に圧縮ばねを介装するとともに、軸部の先端側にキー部材を回転可能に係着し、該キー部材の回転によりイヤー片を閉じ方向に押圧する凸部を、キー部材とイヤー片の摺接部に形成することから、キー部材を回転させるだけでイヤー片の開閉を行うことができ、これにより、トロリ線の機械による取付を可能にするなど、トロリ線をイヤーに簡単に装着することができる。
【００１７】
この場合、イヤー片を開き方向に付勢する開放用ばねを装着することにより、キー部材による締め付けを解けばイヤー片が自然に拡開することになり、トロリ線の脱着を容易にすることができる。
【図面の簡単な説明】
【図１】本発明のハンガイヤーの１実施例を示し、（ａ）は正面図、（ｂ）は側面図である。
【図２】同実施例のハンガイヤーを示し、（ａ）は開放用ばねをクロス掛けした正面図、（ｂ）は図１（ｂ）のＸ−Ｘ線矢視断面図である。
【符号の説明】
１    吊架線
２    ハンガ
２１  ハンガカバー
３    イヤー
３ａ  イヤー片
３ｂ  イヤー片
４    トロリ線
５    軸部
５１  頭部
６    圧縮ばね（皿ばね）
７    キー部材
７１  テーパ面
８    凸部
８１  テーパ面
８２  溝部
９    ピン
１０  開放用ばね
１１  固定部材
１２  凹部
【図１】
2004322736.tif 000003
【図２】
2004322736.tif 000004